(57)【要約】【課題】  演出効果を高めた弾球遊技機を提供する。【解決手段】  本発明のパチンコ遊技機は、図柄表示装置２６の装飾図柄の表示領域を２つに分割する。第１の表示領域１００には、スロットマシーンを模した複数列の図柄が変動表示される。抽選結果が大当たりを示す場合、すなわち決定された停止図柄が大当たりを示す場合には、複数列の図柄が、通常の停止順とは異なる順序で停止される。また、この場合に、第２の表示領域１０２に、大当たりを予告するための画像を表示させる。これらにより、遊技者は、大当たりへの期待感を高めることができ、パチンコ遊技機の遊興性を向上することができる。【選択図】        図１０
2005152349.tif 000002
【特許請求の範囲】
【請求項１】
遊技球の始動入賞口への落入を示す始動入賞情報を取得する始動入賞処理部と、
前記始動入賞情報の取得を契機として抽選を実行する抽選実行部と、
前記抽選実行部により実行された抽選の結果に基づいて、図柄変動の表示パターンを決定するパターン決定部と、
図柄変動の終了時に表示するべき停止図柄を決定する図柄決定部と、
決定した表示パターンで、表示装置の第１の表示領域に図柄変動を表示させる表示処理部とを備え、
前記表示処理部は、前記図柄決定部により決定された停止図柄が所定の態様であった場合に、第１の表示領域とは異なる第２の表示領域に、所定の画像を表示させることを特徴とする弾球遊技機。
【請求項２】
遊技球の始動入賞口への落入を示す始動入賞情報を取得する始動入賞処理部と、
前記始動入賞情報の取得を契機として抽選を実行する抽選実行部と、
前記抽選実行部により実行された抽選の結果に基づいて、図柄変動の表示パターンを決定するパターン決定部と、
図柄変動の終了時に表示するべき複数列の停止図柄を決定する図柄決定部と、
決定した表示パターンで図柄変動を表示装置に表示させる表示処理部とを備え、
前記表示処理部は、前記図柄決定部により決定された複数列の停止図柄の態様に応じて、複数列の図柄の停止順を決定することを特徴とする弾球遊技機。
【請求項３】
前記表示処理部は、前記図柄決定部により決定された複数列の停止図柄が所定の態様であった場合に、図柄変動を表示させる表示装置の第１の表示領域とは異なる第２の表示領域に、所定の画像を表示させることを特徴とする請求項２に記載の弾球遊技機。
【請求項４】
前記表示処理部は、前記図柄決定部により決定された停止図柄が大当たりを示す表示態様である場合に、大当たりを予告するための画像を第２の表示領域に表示させることを特徴とする請求項１または３に記載の弾球遊技機。
【発明の詳細な説明】
【技術分野】
【０００１】
本発明は、弾球遊技機に関し、特に弾球遊技機の遊興性を高めるための表示の制御技術に関する。
【背景技術】
【０００２】
従来、各種の弾球遊技機のうち、特に第１種と呼ばれる遊技機は、遊技盤の略中央に設けられた液晶ディスプレイなどの表示領域に複数の図柄を変動させて表示する（以下、そうした表示を「図柄変動」または「変動表示」等という）。この遊技機は、抽選の結果に応じて図柄変動を停止させたときの特別図柄が特定の態様となった場合に、通常より多くの賞球数が得られる、いわゆる大当たりと呼ばれる特別遊技に移行するものとして知られている（例えば、特許文献１参照）。表示領域における図柄の変動表示は、単に図柄が変動表示されるだけでなく、いわゆるリーチ画面と呼ばれる状態のように、あと一つ図柄が揃えば大当たりとなる状態で変動表示の時間を通常よりも長くする等、遊技者の期待感を高めるための演出が図られている。また、図柄等の画像にキャラクタを用いて変動表示にストーリーをもたせる演出を施したり、特別遊技への移行確率を変動させる等の制御によっても遊技者の期待感を高めている。
【特許文献１】特開２００３−２３０７１４号公報
【発明の開示】
【発明が解決しようとする課題】
【０００３】
近年では、特別図柄ではなく、装飾図柄により抽選の結果を視覚的に演出することも行われるようになっている。特別図柄は表現上の制約が多いため、装飾図柄を用いて演出を行うことで、表現の自由度が高くなるという利点がある。また、遊技機における制御処理を例えばメイン基板とサブ基板とに分け、装飾図柄を用いた演出処理をサブ基板側に行わせることで、遊技機におけるメイン処理と演出処理の開発を別個に行えるという開発上の利点もある。
【０００４】
パチンコ遊技機においては、スロットマシンのゲームを模した３列の図柄を液晶ディスプレイの表示領域において変動表示させ、各列の図柄を所定の順で停止させる演出を行うことが通常である。この演出を特別図柄または装飾図柄のいずれを用いて行う場合であっても、一般的な従来のパチンコ遊技機では、３列に並べられた図柄が、左から右の順に停止される。ディスプレイの限定された表示領域内で、遊技者に飽きを生じさせないように演出を工夫することは、遊技機の人気を左右する重要な要素である。
【０００５】
本発明はこうした状況に鑑みてなされたものであり、その目的は、遊技者に大当たりへの期待感を抱かせる演出効果を可能とする弾球遊技機を提供することにある。
【課題を解決するための手段】
【０００６】
上記課題を解決するために、本発明のある態様は、遊技球の始動入賞口への落入を示す始動入賞情報を取得する始動入賞処理部と、前記始動入賞情報の取得を契機として抽選を実行する抽選実行部と、前記抽選実行部により実行された抽選の結果に基づいて、図柄変動の表示パターンを決定するパターン決定部と、図柄変動の終了時に表示するべき停止図柄を決定する図柄決定部と、決定した表示パターンで、表示装置の第１の表示領域に図柄変動を表示させる表示処理部とを備え、前記表示処理部は、前記図柄決定部により決定された停止図柄が所定の態様であった場合に、第１の表示領域とは異なる第２の表示領域に、所定の画像を表示させる弾球遊技機を提供する。
【０００７】
この態様の弾球遊技機によると、例えばスロットマシンを模した図柄変動のみならず、さらなる図柄を表示させることで、遊技者に、大当たりへの期待感を抱かせることができる。また第２の表示領域の表示内容を、例えば大当たりの予告画像とすることで、弾球遊技機の遊興性を高めることができる。
【０００８】
また、本発明の別の態様は、遊技球の始動入賞口への落入を示す始動入賞情報を取得する始動入賞処理部と、前記始動入賞情報の取得を契機として抽選を実行する抽選実行部と、前記抽選実行部により実行された抽選の結果に基づいて、図柄変動の表示パターンを決定するパターン決定部と、図柄変動の終了時に表示するべき複数列の停止図柄を決定する図柄決定部と、決定した表示パターンで図柄変動を表示装置に表示させる表示処理部とを備え、前記表示処理部は、前記図柄決定部により決定された複数列の停止図柄の態様に応じて、複数列の図柄の停止順を決定する弾球遊技機を提供する。
【０００９】
この態様の遊技機によると、例えば、大当たりしている場合と、大当たりしていない場合とで、複数列の図柄の停止順を変えることができるため、遊技者は、普段と異なる順序で複数列の図柄が停止するのを見て、大当たりへの期待感を高めることができる。
【００１０】
前記表示処理部は、前記図柄決定部により決定された複数列の停止図柄が所定の態様であった場合に、図柄変動を表示させる表示装置の第１の表示領域とは異なる第２の表示領域に、所定の画像を表示させるてもよい。
【００１１】
複数列の図柄の停止順を調整することに加えて、別の表示領域に、決定された停止図柄に応じた図柄を表示させることで、弾球遊技機は、遊技者に対して普段とは異なる表示状態にあることを提示し、したがって、遊技者の大当たりへの期待感を高めることができる。
【００１２】
前記表示処理部は、前記図柄決定部により決定された停止図柄が大当たりを示す表示態様である場合に、大当たりを予告するための画像を第２の表示領域に表示させてもよい。なお、抽選結果が大当たりを示さない場合であっても、大当たりを告知するという意味ではなく、遊技者の期待感を高める演出効果の一環として、予告画像を表示させてもよい。
【００１３】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【００１４】
本発明によれば、演出効果を工夫することで、弾球遊技機の遊興性を高めることができる。
【発明を実施するための最良の形態】
【００１５】
本発明の実施例における弾球遊技機は、決定した停止図柄が所定の態様である場合に、図柄変動の表示態様を、通常の変動時における表示態様と異ならせる表示処理部を備える。特に、大当たりの図柄変動を行う場合に、表示処理部が、通常の図柄変動とは異なる図柄変動を行ったり、または、通常の図柄変動以外の図柄を表示させることで、演出効果を高め、遊技者の大当たりへの期待感を高めることができる。以下、パチンコ遊技機の一般的な説明を行った後で、実施例の詳細を説明する。
【００１６】
（一般説明）
図１は、パチンコ遊技機の前面側における基本的な構造を示す。以下、弾球遊技機としていわゆる第１種パチンコ遊技機を例に説明する。パチンコ遊技機１０は、主に遊技機枠と遊技盤面で構成される。
【００１７】
パチンコ遊技機１０の遊技機枠は、外枠１１、前枠１２、ガラス扉１３、セット盤１４、上球皿１５、下球皿１６、発射ハンドル１７を含む。外枠１１は、開口部分を有する枠体であり、パチンコ遊技機１０を設置すべき位置にて固定される。前枠１２は、外枠１１の開口部分に整合する枠体であり、外枠１１へ開閉自在に取り付けられる。前枠１２は、遊技球を発射する機構や、遊技盤を着脱可能に収容させるための機構、遊技球を誘導または回収するための機構等を含む。
【００１８】
ガラス扉１３およびセット盤１４は、前枠１２へ開閉自在に取り付けられる。セット盤１４は、賞球の貯留タンクや賞球の流路、賞球を払い出す賞球装置等を含む。賞球装置から払い出された賞球は、所定の流路を経由して上球皿１５または下球皿１６に供給される。上球皿１５は、遊技球の貯留、発射レールへの遊技球の送り出し、下球皿１６への遊技球の抜き取り等の機構を有する。下球皿１６は、遊技球の貯留、抜き取り等の機構を有する。遊技者が発射ハンドル１７を回動させると遊技球が発射され、また発射ハンドル１７近辺の単発発射スイッチを押下すると遊技球の発射が一時停止される。
【００１９】
パチンコ遊技機１０の遊技盤面には、遊技部品として多数の遊技釘２０、風車２１、外レール２２および内レール２３、一般入賞口２４、アウト口２５、図柄表示装置２６、センター飾り部品２７、第１種始動入賞口（以下、「始動口」という）２８、大入賞口２９、普通図柄作動口３０、普通図柄表示装置３２が設けられる。多数の遊技釘２０および風車２１は発射された遊技球の落下方向を変化させる。外レール２２は発射された遊技球を遊技領域３１へ案内し、内レール２３は遊技領域３１を区画する。一般入賞口２４等の各入賞口に落入した遊技球はセーフ球として処理され、アウト口２５に流入した遊技球はアウト球として処理される。なお、各入賞口は遊技球が通過するゲートタイプのものを含み、本明細書において「落入」は「通過」を含むものとする。
【００２０】
図柄表示装置２６は、その画面に第１種特別図柄と呼ばれる図柄（以下、「特別図柄」という）と、特別図柄に連動する装飾図柄を変動させながら表示する。ここで、特別図柄は、始動口２８への遊技球の落入を契機として行われる抽選の結果に応じて大当たりを発生させるか否かを示すための図柄であり、装飾図柄は、抽選の結果を視覚的に演出するための図柄である。図柄表示装置２６は、例えば液晶ディスプレイで構成されるとともに、装飾図柄としてスロットマシーンのゲームを模した複数列の図柄変動の動画像を画面の中央領域に表示する。装飾図柄を表示する場合、特別図柄は演出的な役割をもつ必要がないため、図柄表示装置２６の隅の目立たない領域に表示される。特別図柄は、変動中に○と×の図柄が繰り返されるような表示態様をとってもよいが、以下では、Ｃと０から９の数字が繰り返される表示態様をとる場合を示す。具体的に特別図柄は、その変動中、Ｃ、０、１・・・８、９と順に表示され、再びＣから９までを繰り返す表示態様をとる。特別図柄の停止図柄は、大当たりであるか否かを示し、例えば停止図柄が「１」、「３」、「５」、「７」、「９」の奇数である場合は確率変動付き大当たりを、また「０」、「２」、「４」、「６」、「８」の偶数である場合には通常の大当たりを、それ以外の「Ｃ」は外れを示すものであってよい。ここで、確率変動付き大当たりとは、確率変動の対象となる大当たりを意味する。なお、パチンコ遊技機１０における演出効果の拡張性を向上する観点から、特別図柄として利用する数字は０から９までの１０個の数字に限らず、例えば０から１１までの１２個の数字を用いてもよい。１２種類の数字は、３つまたは４つに均等に分割することができるため、演出の様々なバリエーションの拡張性を提供する。
【００２１】
図柄表示装置２６の周囲には、センター飾り部品２７が設けられており、遊技球の流路、図柄表示装置２６の保護、装飾等の機能を有する。始動口２８は、例えばセンター飾り部品２７の下方等の位置に一つまたは複数設けられる。大入賞口２９は、特別図柄が特定の態様にて停止したときに「大当たり」として開放状態となる横長方形状の入賞口であり、例えばアウト口２５の上方等の位置に設けられる。大入賞口２９の内側は、特定領域（いわゆるＶゾーン）と一般領域に区画されている。普通図柄表示装置３２には普通図柄として数字等の図柄が変動表示される。普通図柄の変動表示は、普通図柄作動口３０に遊技球が落入したときに開始される。普通図柄表示装置３２は、例えば７セグメント表示器で構成される。
【００２２】
遊技者が発射ハンドル１７を手で回動させると、その回動角度に応じた強度で上球皿１５に貯留された遊技球が１球ずつ遊技領域３１へ発射され、遊技者が発射ハンドル１７の回動位置を手で固定させると一定の時間間隔で遊技球の発射が繰り返される。遊技領域３１の上部へ発射された遊技球は、複数の遊技釘２０に当たりながらその当たり方に応じた方向へ落下し、一般入賞口２４や始動口２８等の各入賞口へ落入するとその入賞口の種類に応じた賞球が上球皿１５に払い出される。遊技球が始動口２８に落入すると、図柄表示装置２６において特別図柄および装飾図柄が変動表示される。特別図柄および装飾図柄の変動表示は一定時間経過後に停止され、停止時の特別図柄が「０」〜「９」の数字である場合、いわゆる「大当たり」として大入賞口２９の開閉動作を開始する。このときスロットマシーンのゲームを模した装飾図柄は、３つの図柄を一致させるような表示態様をとる。
【００２３】
大入賞口２９は、約３０秒間開放された後、または１０球以上の遊技球が落入した後で一旦閉鎖される。大入賞口２９が開放中に遊技球が特定領域へ少なくとも１球落入した場合、大入賞口２９は再度開放される。このように、大入賞口２９が１回開放される間に遊技球が少なくとも１球以上特定領域へ落入することを条件に大入賞口２９の開閉が所定回数、例えば１５回繰り返される。
【００２４】
図２は、パチンコ遊技機の背面側における基本的な構造を示す。電源スイッチ４０はパチンコ遊技機１０の電源をオンオフするスイッチである。メイン基板４１は、パチンコ遊技機１０の全体動作を制御し、特に始動口２８へ入賞したときの抽選等、遊技動作全般を処理する。サブ基板４９は、液晶ユニット４２を備え、図柄表示装置２６における表示内容を制御し、特にメイン基板４１による抽選結果に応じて表示内容を変動させる。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域３１へ１球ずつ発射する。発射制御基板４７は、発射装置４６の発射動作を制御する。電源ユニット４８は、パチンコ遊技機１０の各部へ電力を供給する。
【００２５】
図３は、パチンコ遊技機１０における遊技を制御する構成を中心とした基本的な機能ブロック図である。メイン制御部７０は、図２のメイン基板４１がもつ機能に相当し、パチンコ遊技機１０の全体的な動作および遊技の基本動作を主に制御する。サブ制御部８０は、図２のサブ基板４９がもつ機能に相当し、装飾図柄の変動表示やパチンコ遊技機１０周囲の電飾等の演出的動作を主に制御する。メイン制御部７０からサブ制御部８０に対しては、各種制御に関する指示信号が送られるが、サブ制御部８０からメイン制御部７０へフィードバック的な情報または信号は送られず、つねにメイン制御部７０からサブ制御部８０への一方向通信となる。メイン制御部７０およびサブ制御部８０は、ハードウェア的にはデータやプログラムを格納するＲＯＭ、演算処理に用いるＣＰＵ等の素子を含む。なお、本図では各種機能をメイン制御部７０とサブ制御部８０に分けて構成しているが、その分け方は図示の例に限定されない。また、メイン制御部７０およびサブ制御部８０は一体として構成されてもよい。
【００２６】
一般入賞検出部５０は一般入賞口２４の内部に設けられたセンサであり、一般入賞口２４への遊技球の落入を検出し、その落入があったことを示す一般入賞情報を一般入賞処理部５５へ送る。一般入賞処理部５５は、一般入賞検出部５０から一般入賞情報を受け取ると、払出制御基板４５の払出制御部７９へ賞球数等の払出指示を送る。
【００２７】
始動入賞検出部５１は始動口２８の内部に設けられたセンサであり、始動口２８への遊技球の落入を検出し、その落入があったことを示す始動入賞情報を始動入賞処理部５６へ送る。始動入賞処理部５６は、始動入賞検出部５１から始動入賞情報を受け取ると、払出制御部７９へ賞球数等の払出指示を送るとともに、始動入賞に対する抽選を実行する特別図柄抽選実行部６０へ抽選指示を送る。
【００２８】
特別図柄抽選実行部６０は、始動入賞情報の取得を契機として、具体的には抽選指示を始動入賞検出部５１から受け取った後、抽選を実行する。この特別図柄抽選実行部６０は、始動入賞に対して乱数を発生し決定する乱数決定部７２と、乱数を取得して抽選当否を判定する当否決定部６１と、抽選当否に応じた特別図柄の停止図柄を決定する特別図柄決定部６２と、特別図柄の表示パターンを決定する特別図柄パターン決定部７３を含む。特別図柄は、例えば数字、記号、マーク等で構成されてよく、本実施例では「Ｃ」と、「０」から「９」の数字で構成される。乱数決定部７２は、始動入賞処理部５６から抽選指示を受け取るたびに所定のカウント範囲、例えば０から６５５３５までの範囲のカウント値を乱数として発生させ、特別図柄保留記憶部６３へその乱数を格納する。特別図柄保留記憶部６３は、保留数の上限として所定個数、例えば最大４つ分の乱数を格納できるだけの記憶領域を有し、保留個数分が格納されると空き領域が生じるまでそれ以上の乱数は記憶しない。なお、乱数決定時に図柄変動が行われていない場合には、乱数決定部７２は、特別図柄保留記憶部６３へ乱数を格納せずに、当否決定部６１にその乱数を送る。
【００２９】
当否決定部６１は、特別図柄保留記憶部６３に格納された乱数の値に応じて、または乱数決定部７２から直接送られる乱数の値に応じて、その抽選結果が「大当たり」、「外れ」のいずれに該当するかを判定する。これらの結果は、それぞれ当否決定部６１がもつ当否テーブルに数値範囲の形で定義される。当否テーブルでは、例えば０から２０７までを大当たり値の範囲とし、２０８から６５５３５までを外れ値の範囲とする。なお、０から２０７までの大当たり値の範囲のうち、その一部を確率変動付き大当たりの範囲として設定してもよい。特別図柄決定部６２は、当否決定部６１による抽選結果に応じて、特別図柄の停止図柄の図柄番号を決定する。特別図柄の表示態様が、図柄変動中にＣと、０から９までの図柄を繰り返し表示するものである場合、抽選結果が通常の大当たりであれば「０」、「２」、「４」、「６」、「８」を、確率変動付き大当たりであれば「１」、「３」、「５」、「７」、「９」を、外れであれば「Ｃ」を停止図柄として決定する。したがってこの場合、当否テーブルでは、０から２０７までの大当たり値の範囲がさらに１０個の範囲に分割されて、それぞれの特別図柄の数字に対応付けられており、特別図柄決定部６２は、乱数値に応じて、特別図柄の停止図柄を決定する。特別図柄パターン決定部７３は、特別図柄の表示パターンを決定し、例えば特別図柄の変動時間などを決定する。
【００３０】
当否決定部６１による当否決定、特別図柄決定部６２による特別図柄の停止図柄の決定、および特別図柄パターン決定部７３による特別図柄の表示パターンの決定は、前回の抽選結果に基づく図柄変動が終了し、当回の抽選結果に基づく演出表示を開始するときに行われる。なお、これらの処理の実行タイミングは、乱数決定部７２において乱数が決定された時点で行われてもよい。特別図柄保留記憶部６３による乱数の保留数、当否決定部６１による当否結果、特別図柄決定部６２による停止図柄の図柄番号、および特別図柄パターン決定部７３による特別図柄の表示パターン番号はサブ制御部８０へ送られる。
【００３１】
表示処理部７４は、図柄表示装置２６の左下隅に、決定された特別図柄の表示パターンおよび停止図柄にしたがって、特別図柄を表示させる。具体的には、特別図柄の表示パターンとして、特別図柄の変動時間が６０秒であることが定められ、また停止図柄が「３」であって、変動時間の最後２秒間で停止図柄を表示することが定められている場合には、表示処理部７４が、変動開始から５８秒が経過するまで、Ｃと０から９までの数字をサイクリックに表示させ、５８秒が経過してから６０秒が経過するまでの間に「３」を停止図柄として表示させる。なお、特別図柄は、図柄表示装置２６中の他の箇所に表示されてもよく、また図柄表示装置２６以外に設けられる表示部に表示されてもよい。さらに表示処理部７４は、図柄表示装置２６の画面内に特別図柄の保留数、すなわち未だ特別図柄の変動表示がなされていない乱数の値を最大４個まで表示する。なお、保留数も、図柄表示装置２６以外の表示部にて表示されてもよい。
【００３２】
サブ制御部８０は、装飾図柄決定部８２、装飾図柄パターン決定部８４、装飾図柄パターン格納部８６、および表示処理部９２を含む。装飾図柄決定部８２は、当否決定部６１における当否結果に基づいて、図柄表示装置２６において表示する複数列の装飾図柄の停止図柄を決定する。なお、装飾図柄決定部８２は、特別図柄決定部６２において決定された特別図柄の停止図柄番号をもとに、装飾図柄の複数列、一般には３列の停止図柄を決定してもよい。装飾図柄決定部８２は、当否結果または特別図柄の図柄番号と、装飾図柄の図柄番号とを対応付けたテーブルを有し、このテーブルをもとに装飾図柄の停止図柄を決定する。以下には、テーブルにおいて、特別図柄の大当たり停止図柄に対応付けられた、装飾図柄の大当たり停止図柄の対応を示す。
【００３３】
【表１】
2005152349.tif 000003
装飾図柄の大当たり停止図柄は、左図柄、中央図柄、右図柄の３つの図柄が揃った表示態様となる。抽選結果が大当たりの場合、特別図柄決定部６２により特別図柄の大当たり停止図柄が決定されると、上表の対応関係をもとに、装飾図柄決定部８２が、装飾図柄の大当たり停止図柄を決定する。「１１１」「３３３」「５５５」「７７７」「９９９」の奇数図柄は、遊技者に確率変動付き大当たりであることを提示し、「０００」「２２２」「４４４」「６６６」「８８８」の偶数図柄は、通常の大当たりであることを提示する。
【００３４】
一方、抽選結果が外れの場合、装飾図柄決定部８２は、装飾図柄決定部８２は左図柄、中央図柄、右図柄のうち少なくとも一つが他の図柄と一致しないよう各図柄番号を決定する。なお、特別図柄と装飾図柄の対応付けは１対１である必要はなく、特別図柄の図柄番号に対して、複数の装飾図柄の画像が対応付けられていてもよい。この場合、装飾図柄決定部８２は、対応付けられた複数の装飾図柄のうちから、任意の１つを選択し決定してもよい。
【００３５】
上記のように、特別図柄と装飾図柄とを対応付けたテーブルを予め用意しておいてもよいが、図柄表示装置２６の画面上で装飾図柄として３列の停止図柄を表示させる場合に、装飾図柄決定部８２は、左図柄、中央図柄、右図柄の各図柄番号を所定の図柄番号範囲でアットランダムに選択してもよい。ただし装飾図柄決定部８２は、特別図柄の停止図柄番号が「大当たり」を示す場合は左図柄、中央図柄、右図柄がそれぞれ同じ図柄となるよう各図柄番号を決定し、さらに特別図柄の停止図柄番号が「確率変動付き大当たり」を示す場合は、遊技者に確率変動付き大当たりであることを提示するために、全てが揃った奇数図柄番号を決定する。一方、当否結果が「外れ」を示す場合、または特別図柄の停止図柄番号が「外れ」を示す場合は、装飾図柄決定部８２は左図柄、中央図柄、右図柄のうち少なくとも一つが他の図柄と一致しないよう各図柄番号を決定する。
【００３６】
装飾図柄パターン決定部８４は、抽選の結果に基づいて、少なくとも装飾図柄の図柄変動の表示順序を示す表示パターンを決定する。具体的には、装飾図柄パターン決定部８４は、特別図柄パターン決定部７３において決定された特別図柄の表示パターン番号に基づいて、装飾図柄の画像、装飾図柄の表示パターン、変動表示の演出パターンを決定する。装飾図柄パターン格納部８６は、装飾図柄の画像、背景の画像、キャラクタの画像等、様々な画像を記憶するとともに、これら画像を図柄表示装置２６の画面内にどのような表示形態で変動させるかを定めた複数の表示パターンと、リーチ動作をどのように進行または演出するかを定めた複数の演出パターンとを記憶する。装飾図柄の画像は、特別図柄抽選実行部６０の特別図柄決定部６２で決定される特別図柄の図柄番号と対応づけられており、変動パターンと演出パターンは、特別図柄パターン決定部７３で決定される特別図柄の表示パターンに対応づけられている。装飾図柄パターン決定部８４は、停止図柄に至るまでの装飾図柄の図柄変動の表示順序を示す表示パターンと、その表示順序における演出パターンを決定する。なお、この演出パターンも表示順序を直接または間接的に示すものであり、その意味で、表示順序を示す表示パターンと呼ぶこともできる。なお、装飾図柄の変動時間は、特別図柄の変動時間と等しく設定される。表示処理部９２は、装飾図柄パターン決定部８４で決定された装飾図柄の表示パターンおよび演出パターンで装飾図柄の図柄変動を図柄表示装置２６に表示させ、変動終了後に装飾図柄決定部８２にて決定された装飾図柄の停止図柄を表示させる。
【００３７】
メイン制御部７０において、表示処理部７４は、特別図柄の変動表示を開始すると、変動開始指示をサブ制御部８０の表示処理部９２に送り、図柄変動の表示時間のカウントを行う。サブ制御部８０の表示処理部９２は、変動開始指示を受け取ると、装飾図柄の変動表示を開始する。表示処理部７４は、特別図柄の変動時間が終了するタイミングで、特別図柄の停止図柄を図柄表示装置２６に表示し、変動表示の停止指示をサブ制御部８０へ送る。表示処理部９２は、変動表示の停止指示を受け取ると、装飾図柄の停止図柄を図柄表示装置２６に表示する。これにより、１回の抽選結果による表示処理が終了する。
【００３８】
当否決定部６１は、特別図柄保留記憶部６３から読み出した乱数の値が大当たり値であった場合、停止図柄の表示後、特別遊技の開始指示を特別遊技実行部６４へ送る。特別遊技実行部６４は、特別遊技処理部６５、継続判定部６６、および確変判定部６７を含む。特別遊技処理部６５は、大入賞処理部５８に対して大入賞口の開放指示を送る。大入賞処理部５８は、特別遊技処理部６５から受け取る開放指示に基づいて大入賞口２９を開放させる。開放された大入賞口２９に落入する遊技球は、大入賞口２９の内部に設けられたセンサである大入賞検出部５３により検出され、大入賞口２９へ遊技球が落入すると大入賞処理部５８は払出制御部７９へ賞球数等の払出指示を送るとともに、１回の大入賞口２９の開放における遊技球の落入球数を計数する。大入賞処理部５８は、約３０秒間の開放期間が経過するか、または大入賞口２９へ落入する遊技球が１０球に達したときに大入賞口２９を一旦閉鎖する。
【００３９】
領域通過検出部５４は、大入賞口２９の内部に設けられた特定領域（Ｖゾーン）への遊技球の通過を検出するセンサであり、遊技球の通過があったことを示す特定領域通過情報を領域通過処理部５９へ送る。領域通過処理部５９は、領域通過検出部５４から特定領域通過情報を受け取り、これを特別遊技実行部６４の継続判定部６６へ送る。継続判定部６６は、１回の大入賞口２９の開放において特定領域へ１球以上の通過が検出された場合に、次の開放を特別遊技処理部６５に指示する。特別遊技処理部６５は、継続判定部６６による特定領域の通過判定があったことを継続条件として大入賞口２９を最大で１５回繰り返して開放状態におく。確変判定部６７は、乱数値または特別図柄の停止図柄の態様に応じて、大当たり終了後の遊技を通常遊技とするか、当たり確率の高い確率変動遊技とするかについて判定し、判定結果を確変実行部６８へ送る。確変判定部６７は、停止図柄が特定の図柄の場合に、次の遊技を確率変動遊技へ移行すべきと判定する。
【００４０】
確変実行部６８は、確率変動遊技へ移行すべき旨の判定を確変判定部６７から受け取った場合、当否決定部６１がもつ当否テーブルを確率変動遊技用に変更する。例えば、通常遊技時の大当たり値の範囲が０から２０７までであったのに対し、確率変動遊技時の大当たり値の範囲を０から１０９３までとする。これにより、確率変動遊技時の大当たり確率が、通常遊技時よりも大きくなる。
【００４１】
作動検出部５２は普通図柄作動口３０の内部に設けられたセンサであり、普通図柄作動口３０への遊技球の落入を検出し、その落入があったことを示す普通図柄作動情報を作動処理部５７へ送る。作動処理部５７は、作動検出部５２から普通図柄作動情報を受け取ると、普通図柄の抽選指示を普通図柄抽選実行部６９へ送る。普通図柄抽選実行部６９は、抽選指示を受け取ると、その抽選結果として乱数を取得してこれを普通図柄保留記憶部７１へ格納する。普通図柄抽選実行部６９は、普通図柄抽選の乱数として例えば０から９までの範囲のカウント値を取得する。普通図柄保留記憶部７１は、普通図柄の抽選結果である乱数を所定個数、例えば最大で４個格納するだけの記憶領域を有する。普通図柄抽選実行部６９は、普通図柄保留記憶部７１から乱数を読み出してその抽選当否を判定する。普通図柄抽選実行部６９がもつ当否テーブルには、例えば７が当たり値として定義され、７以外の値が外れ値として定義される。普通図柄抽選実行部６９は、読み出した乱数が当たり値であるか外れ値であるかに基づいて普通図柄抽選の当否を判定する。その当否の判定結果は、表示処理部７４および作動処理部５７へ送られる。表示処理部７４は、受け取った乱数の値を停止図柄とする普通図柄の図柄変動を普通図柄表示装置３２へ表示させる。作動処理部５７は、当たりの判定結果を普通図柄抽選実行部６９から受け取った場合、所定の入賞口、例えば始動口２８の両側に設けられた可動片（いわゆる電動チューリップ）を一定時間動作させて、通常状態よりも始動口２８へ遊技球が落入しやすい状態とする。
【００４２】
図４は、通常遊技から特別遊技へ移行する過程を示すフローチャートである。まず始動入賞検出部５１が始動口２８への遊技球の落入を検出すると（Ｓ１０のＹ）、乱数決定部７２が、図柄変動中であるか否かを判定する（Ｓ１２）。図柄が変動中でなければ（Ｓ１２のＮ）、乱数決定部７２が乱数を決定し（Ｓ１４）、当否決定部６１が、乱数に基づいて抽選当否を判定する（Ｓ２８）。一方、図柄が変動中であれば（Ｓ１２のＹ）、乱数決定部７２が乱数を決定して（Ｓ１６）、特別図柄保留記憶部６３に乱数を保留可能であるか否かを判定する（Ｓ１８）。図柄変動中、例えば４個の乱数が特別図柄保留記憶部６３に保留されていれば、それ以上の乱数を保留することができないため（Ｓ１８のＮ）、特別図柄保留記憶部６３はその乱数を取得しない。なお、乱数を保留できないことの判定を乱数の決定前に行う場合は、乱数決定部７２は、入賞を無視して乱数自体を生成しなくてもよい。一方、保留されている乱数の数が３個以内であれば、乱数決定部７２は、乱数を保留する記憶領域が空いていることを判定する（Ｓ１８のＹ）。この場合、乱数決定部７２は、特別図柄保留記憶部６３の空き領域に乱数を記憶させる（Ｓ２０）。
【００４３】
またＳ１０において、始動口２８への入賞がなければ（Ｓ１０のＮ）、当否決定部６１が、特別図柄保留記憶部６３に乱数が保留されているか否かを判定する（Ｓ２２）。保留されていない場合（Ｓ２２のＮ）、本フローを終了し、保留されている場合は（Ｓ２２のＹ）、その時点で行われている図柄変動が終了するのを待つ。なお乱数が保留されている場合とは、入賞が以前に発生し且つその入賞の抽選結果についての図柄変動が未だ行われていない状態を示す。このとき、図柄表示装置２６では、保留球以前の入賞の抽選結果についての特別図柄および装飾図柄の変動表示がなされている。なお、Ｓ１２における図柄変動と、Ｓ２２の判定時点で表示されている図柄変動を、本フローでは説明の便宜上、「前回の図柄変動」と呼び、これに続く図柄変動のことを「当回の図柄変動」と呼ぶことにする。
【００４４】
前回の図柄変動が終了すると、当否決定部６１は、特別図柄保留記憶部６３に保留されている抽選結果のうち最初に抽選結果として格納された乱数を読み出してその記憶内容を消去し（Ｓ２４）、２番目以降の領域に抽選結果の乱数が格納されていればそれらをそれぞれ一つ前の記憶領域へシフトする（Ｓ２６）。当否決定部６１は、読み出した乱数に基づいて抽選当否を判定し（Ｓ２８）、続いて、図柄変動の表示内容が決定される。表示処理部７４および表示処理部９２は当回の特別図柄および装飾図柄を図柄表示装置２６に変動表示させる（Ｓ３０）。Ｓ２８における当否決定部６１による当否判定の結果、乱数が大当たり値であった場合（Ｓ３２のＹ）、特別遊技へ移行し（Ｓ３４）、抽選結果の乱数が外れ値であれば（Ｓ３２のＮ）、Ｓ３４をスキップする。
【００４５】
当回の図柄変動が終了すると、当否決定部６１は、特別図柄保留記憶部６３に乱数が保留されているか否かを判定する（Ｓ３８）。保留されている場合（Ｓ３８のＹ）、次の変動のためにＳ２４からＳ３４までのステップを繰り返し、保留されていない場合（Ｓ３８のＮ）、本フローを終了する。
【００４６】
図５は、図４のＳ２８における抽選当否を判定する処理を詳細に示すフローチャートである。以下では図５および図６を用いて、抽選当否の判定と、続く図柄変動の表示内容の決定までを示す。図５では、メイン制御部７０における処理Ｓ２８ａを示し、また図６では、サブ制御部８０における処理Ｓ２８ｂを示す。
【００４７】
Ｓ２４において当否決定部６１により読み出された乱数、またはＳ１４において決定された乱数が大当たり値（０〜２０７）に該当する場合（Ｓ５０のＹ）、さらに、この乱数が確率変動付き大当たり値であるか否かを判定する（Ｓ５１）。確率変動付き大当たり値である場合（Ｓ５１のＹ）、特別図柄決定部６２は、確変当たり用の特別図柄の停止図柄を決定し、また特別図柄パターン決定部７３は、確変当たり用の特別図柄の表示パターンを決定する（Ｓ５２）。確率変動付き大当たり値でない場合（Ｓ５１のＮ）、特別図柄決定部６２は、通常当たり用の特別図柄の停止図柄を決定し、また特別図柄パターン決定部７３は、通常当たり用の特別図柄の表示パターンを決定する（Ｓ５３）。また、Ｓ５０において、乱数が外れ値（２０８〜６５５３５）である場合（Ｓ５０のＮ）、特別図柄決定部６２は、外れ用の特別図柄の停止図柄を決定し、また特別図柄パターン決定部７３は、外れ用の特別図柄の表示パターンを決定する（Ｓ５４）。当否結果、特別図柄の停止図柄および表示パターンは、サブ制御部８０に送られる。
【００４８】
図６は、装飾図柄の決定処理を示すフローチャートである。装飾図柄決定部８２は、当否結果または特別図柄の停止図柄をもとに、装飾図柄の停止図柄を決定する（Ｓ６０）。続いて、装飾図柄パターン決定部８４は、特別図柄の表示パターンをもとに、装飾図柄をリーチ演出するか否かを判定する（Ｓ６１）。この判定は、特別図柄の表示パターンの時間長に基づいてなされてもよい。例えば、特別図柄の変動時間が第１の所定時間よりも長ければリーチ演出することを決定し（Ｓ６１のＹ）、一方で第１の所定時間よりも短ければ、リーチ演出をしないことを決定する（Ｓ６１のＮ）。なお、当否結果または特別図柄の停止図柄により、抽選結果が大当たりであることを示される場合には、Ｓ６１において、特別図柄の変動時間にかかわらず、常にリーチ演出することを決定する（Ｓ６１のＹ）。装飾図柄パターン決定部８４は、リーチ演出する場合に、さらにスーパーリーチ演出を行うか否かを判定する（Ｓ６２）。この判定も特別図柄の変動時間に基づいてなされてよい。例えば特別図柄の変動時間が、第２の所定時間よりも長ければ、スーパーリーチ演出を行うことを決定し（Ｓ６２のＹ）、第２の所定時間よりも短ければ、スーパーリーチ演出を行わず、ノーマルリーチ演出を行うことを決定する（Ｓ６２のＮ）。スーパーリーチ演出を行う場合（Ｓ６２のＹ）、装飾図柄パターン決定部８４は、スーパーリーチ用の装飾図柄のパターンを決定する（Ｓ６３）。ノーマルリーチ演出を行う場合（Ｓ６２のＮ）、装飾図柄パターン決定部８４は、ノーマルリーチ用の装飾図柄のパターンを決定する（Ｓ６４）。リーチ演出を行わない場合（Ｓ６１のＮ）、装飾図柄パターン決定部８４は、リーチなしの装飾図柄のパターンを決定する（Ｓ６５）。ここでいう装飾図柄のパターンは、装飾図柄の変動開始から終了までの表示順序を定めた一連の表示パターンである。なお、Ｓ６０における装飾図柄の決定は、Ｓ６３におけるパターンの決定と同時に行われてもよく、またパターンの決定後に行われてもよい。
【００４９】
図７は、図４のＳ３４における特別遊技の動作を詳細に示すフローチャートである。特別遊技の開始とともに大入賞処理部５８は大入賞口２９を開放し（Ｓ７０）、大入賞検出部５３が大入賞口２９への遊技球の落入を検出した場合（Ｓ７１のＹ）、大入賞処理部５８はその球数をカウントし（Ｓ７２）、大入賞口２９へ落入した遊技球が特定領域を通過したことを領域通過検出部５４が検出した場合（Ｓ７３のＹ）、領域通過処理部５９は通過フラグをオンする（Ｓ７４）。大入賞口２９への遊技球の落入が検出されないときは（Ｓ７１のＮ）、Ｓ７２からＳ７４をスキップする。大入賞口２９へ落入した遊技球が特定領域を通過しなかった場合（Ｓ７３のＮ）、Ｓ７４がスキップされ、領域通過処理部５９は通過フラグをそのままにする。Ｓ７１からＳ７４までの処理は、大入賞口２９への落入球数のカウント値が１０球以上に達するか、大入賞口２９の開放時間が３０秒間に達するまで繰り返され（Ｓ７５のＮ）、これらいずれかの条件に達した場合（Ｓ７５のＹ）、大入賞処理部５８は大入賞口２９を一旦閉鎖する（Ｓ７６）。ここで通過フラグがオンになっていれば（Ｓ７７のＹ）、特定領域への通過があったものとして通過フラグと落入球数のカウント値をリセットし（Ｓ７８）、特別遊技のラウンド数をインクリメントして（Ｓ７９）、そのラウンド数が１５回に達するまで（Ｓ８０のＮ）、Ｓ７０からＳ７９までの処理を繰り返す。ラウンド数が１５回に達した場合（Ｓ８０のＹ）、または通過フラグがオンになっていない場合に（Ｓ７７のＮ）、特別遊技が終了される。以上がパチンコ遊技機の一般的な説明である。
【００５０】
本実施例におけるパチンコ遊技機１０は、図柄表示装置２６における装飾図柄の表示領域を少なくとも２つに分割する。第１の表示領域には、スロットマシーンを模した複数列、一般には３列の図柄を変動表示させ、第２の表示領域には、決定した停止図柄をもとに、より直接的には当否判定の結果をもとに所定の画像を表示させる。第１の表示領域および第２の表示領域において、サブ制御部８０の表示処理部９２は、遊技の演出効果を高めるべく、装飾図柄の表示態様に工夫を凝らす。
【００５１】
具体的には、装飾図柄決定部８２において決定された装飾図柄の複数列の停止図柄が所定の態様であった場合に、表示処理部９２は、第１の表示領域において、複数列の図柄を、通常の停止順とは異なる順序で停止させる。３列の図柄は、通常、左図柄、中央図柄、右図柄の順に停止されるが、所定の条件が満たされた場合には、３列の図柄を、この逆順、すなわち右図柄、中央図柄、左図柄の順に停止させる。停止順を通常のものから変更することで、遊技者の大当たりへの期待感を高めさせる。なお、停止順は、通常の停止順と異なっていればよく、例えば左図柄、右図柄、中央図柄の順であってもよいし、また中央図柄、右図柄、左図柄などの順であってもよい。
【００５２】
さらに、表示処理部９２は、装飾図柄決定部８２において決定された装飾図柄の複数列の停止図柄が所定の態様であった場合に、第２の表示領域において、大当たりを予告するための画像を表示させる。この表示は、第１表示領域における図柄の変動中に行い、したがって遊技者は、図柄変動の最中に予告画像を見て、大当たりの期待感を高めることになる。
【００５３】
本実施例では、抽選結果が大当たりである場合に、第２の表示領域に予告画像を表示し、また第１の表示領域において３列の図柄の停止順を通常の表示態様から変更させる。なお、この２種類の表示処理は、遊技者の期待感を格段に高めるためにも同時に行われることが好ましいが、それぞれを単独で利用することも可能である。第１の表示領域および／または第２の表示領域に、通常の表示態様とは異なる表示を行わしめることで、遊技者に大当たりの期待感を抱かせることができ、遊技機としての遊興性を向上することができる。
【００５４】
図８は、図柄表示装置２６の画面における各種表示領域を示す。画面上には、装飾図柄の第１の表示領域１００、装飾図柄の第２の表示領域１０２および特別図柄の特図表示領域１０４がそれぞれ割り当てられる。下向きの矢印は、表示領域中の図柄が変動されている状態を模式的に示している。この例では、特図表示領域１０４が画面左下隅に設けられているが、例えば、右上隅などの他の位置に設けられてもよい。第１の表示領域１００には、３列の図柄が変動表示され、第２の表示領域１０２には、大当たりを予告するための画像が表示される。この予告画像は、抽選結果にかかわらず全ての図柄変動中に表示されてもよいが、遊技者に期待感を与えるためには、通常は抽選結果が大当たりを示す場合に、すなわち第１の表示領域１００における図柄が停止されるときの態様が大当たりを示すものである場合に、第２の表示領域１０２に表示されるものであることが好ましい。このとき、通常の大当たりを示す画像と、確変付き大当たりを示す画像とを異なる画像として用意しておくことが好ましく、これにより、遊技者の期待感を一層高めることができる。
【００５５】
図９は、装飾図柄の表示処理部９２の構成を示す。本実施例において、表示処理部９２は、停止図柄取得部１１０、装飾図柄パターン取得部１１２、判定部１１４、予告画像生成部１１６、停止順決定部１１８および変動図柄生成部１２０を備える。停止図柄取得部１１０は、装飾図柄決定部８２において決定された３列の停止図柄を取得する。装飾図柄パターン取得部１１２は、装飾図柄パターン決定部８４において決定された装飾図柄の表示パターンを取得する。この表示パターンは、例えば左図柄、中央図柄および右図柄を、この順に停止させるタイミングなどを定めている。
【００５６】
判定部１１４は、決定された３列の停止図柄をもとに、大当たりの予告を遊技者に行うか否かを判定する。したがって、３列の停止図柄が揃っている場合は、大当たりの予告を行うことを決定し、３列の停止図柄の少なくとも１つが揃っていない場合は、原則として大当たりの予告をしないことを決定する。なお、大当たりの場合にのみ予告をすることは、すなわち大当たりの告知をすることに相当するが、本実施例では、告知だけでなく、停止図柄が外れを示す場合であっても、大当たりの予告を行うものとしてもよい。これにより、予告がされた場合であっても、最終的に外れることがあるため、遊技者は、緊張感と期待感の中で遊技を楽しむことができる。
【００５７】
判定部１１４が大当たりの予告を行うことを判定すると、予告画像生成部１１６が、図柄表示装置２６における第２の表示領域１０２に表示するべき予告画像を生成する。通常の大当たりの場合と、確変付き大当たりの場合とで、予告画像の態様を異ならせてもよい。これにより、遊技者は、予告画像を見ることで、少なくとも大当たりへの期待感を抱き、さらには確変付き大当たりであることの期待感も得ることができる。
【００５８】
停止順決定部１１８は、決定された３列の停止図柄をもとに、装飾図柄の表示パターンにおける３列の図柄の停止順を決定する。具体的には、判定部１１４における判定結果や、予告画像生成部１１６において予告画像が生成されたか否かの結果をもとに停止順を決定する。３列の停止図柄が大当たりを示すものでない場合、停止順決定部１１８は、原則として、停止順を通常どおり左から右の順として決定する。これは、表示パターンに組み込まれているデフォルトの停止順を採用することに相当する。
【００５９】
一方で、３列の停止図柄が大当たりを示すものである場合は、停止順決定部１１８が、停止順を右から左の順として決定する。通常の停止順から変更することで、変動が通常とは異なる状態にあることを遊技者に提示することができる。仮に、第２の表示領域１０２に予告画像を表示しない場合であっても、停止順を変更するだけで遊技者に期待感を抱かせることが可能となるため、制約された画面スペースを効率的に活用した有効な演出を実現できる。なお、逆順に変更する場合だけでなく、他の停止順に変更してもよい。変動図柄生成部１２０は、決定された停止順をもとに、変動する装飾図柄を生成する。
【００６０】
予告画像生成部１１６における予告画像の生成、および停止順決定部１１８における停止順の通常態様からの変更は、確率的には低い頻度で発生するものであり、そのため遊技者に対して、通常とは異なる表示が行われていることを提示することができる。この珍しい表示態様により、遊技者に期待感を抱かせることができ、演出効果をアップすることができる。
【００６１】
図１０は、図柄変動を逆順に停止させる図柄表示装置２６の画面表示例を示す。図１０（ａ）は、第２の表示領域１０２に予告画像を表示させ、また第１の表示領域１００において右図柄を停止させた状態を示す。予告画像としてライオンの画像を示すが、当然のことながら他の図柄であってよい。予告画像の表示タイミングは、変動終了前であればよく、右図柄を停止する前であっても、その後であってもよい。既述のごとく、通常の大当たり予告用の画像と、確変付き大当たり予告用の画像として、別の画像を用意しておくことが好ましい。
【００６２】
図１０（ｂ）は、図１０（ａ）に続いて中央図柄を停止させた状態を示し、図１０（ｃ）は、さらに続いて左図柄を停止させた状態を示す。図１０（ｃ）に示す最終的な停止図柄において、特別図柄は「７」で停止する。以上のように、予告画像と、図柄変動の停止順の設定とを組み合わせることで、遊技者を飽きさせないパチンコ遊技機１０の演出を提供することが可能となる。なお、予告画像のみの演出、または図柄変動の停止順の設定のみの演出により、遊技者への予告を実現してもよい。
【００６３】
図１１は、本実施例におけるサブ制御部８０の図柄表示のフローチャートを示す。装飾図柄の停止図柄および表示パターンが決定されると（Ｓ１００）、表示処理部９２は、停止図柄が所定の態様にあるか否かを判定する（Ｓ１０２）。停止図柄が所定の態様にある場合（Ｓ１０２のＹ）、すなわち停止図柄が大当たりを示すものである場合は、第２の表示領域１０２に表示するべき予告画像を生成し（Ｓ１０４）、複数列の図柄変動の停止順序を、通常の停止順序の逆順とする（Ｓ１０６）。また、停止図柄が所定の態様にない場合は（Ｓ１０２のＮ）、複数列の図柄変動の停止順序を、通常の停止順序とする（Ｓ１０６）。以上の処理により、装飾図柄を生成し（Ｓ１０８）、装飾図柄をディスプレイに表示する。
【００６４】
以上、本発明を実施例をもとに説明した。この実施例は例示であり、その各構成要素や各処理プロセスの組合せにいろいろな変形が可能なこと、またそうした変形例も本発明の範囲にあることは当業者に理解されるところである。実施例では、装飾図柄を表示処理する例について説明したが、本発明は、装飾図柄に限らず、特別図柄を表示処理する場合に適用されてもよい。
【００６５】
本発明による表示処理は、通常遊技中に、例えば大当たりを予告するモードに移行したときに実行されてもよい。この予告モードは、当否決定部６１による当否決定が、乱数決定部７２において乱数が決定されたタイミングで行われ、保留球に対して、大当たりが既に確定している場合に実行される。予告モードでは、例えば、保留球３球目に大当たりが入っている場合、保留球１球目および／または２球目において、チャンス目表示、あるいはリーチ目表示を行ってもよい。チャンス目とは、遊技者にチャンスであることを告知する目であり、遊技者は、例えば７−１−７の目が揃ったときにチャンス目であることを認識できる。またリーチ目とは、大当たりが確定しているときに出る目で、遊技者は、例えば７−３−７の目が揃ったときにリーチ目であることを認識できる。本発明による表示処理を利用して、複数列の図柄の停止順を通常の態様から変更させたうえでチャンス目またはリーチ目を停止図柄とし、また第２の表示領域１０２に予告画像を表示させることで、遊技者に大当たりの可能性が高まっていることを知らせることもできる。これにより、遊技者に大当たりへの期待感を抱かせることができ、パチンコ遊技機１０の遊興性をさらに高めることが可能となる。
【図面の簡単な説明】
【００６６】
【図１】弾球遊技機の前面側における基本的な構造を示す図である。
【図２】弾球遊技機の背面側における基本的な構造を示す図である。
【図３】パチンコ遊技機における遊技を制御する構成を中心とした基本的な機能ブロック図である。
【図４】通常遊技から特別遊技へ移行する過程を示すフローチャートである。
【図５】図４のＳ２８における抽選当否を判定する処理を詳細に示すフローチャートである。
【図６】装飾図柄の決定処理を示すフローチャートである。
【図７】図４のＳ３４における特別遊技の動作を詳細に示すフローチャートである。
【図８】図柄表示装置の画面における各種表示領域を示す図である。
【図９】装飾図柄の表示処理部の構成を示す図である。
【図１０】図柄変動を逆順に停止させる画面表示例を示す図である。
【図１１】表示処理のフローチャートを示す図である。
【符号の説明】
【００６７】
１０・・・パチンコ遊技機、２８・・・始動口、６０・・・特別図柄抽選実行部、６１・・・当否決定部、６２・・・特別図柄決定部、７０・・・メイン制御部、７４・・・表示処理部、８０・・・サブ制御部、８２・・・装飾図柄決定部、８４・・・装飾図柄パターン決定部、８６・・・装飾図柄パターン格納部、９２・・・表示処理部、１００・・・第１の表示領域、１０２・・・第２の表示領域、１１０・・・停止図柄取得部、１１２・・・装飾図柄パターン取得部、１１４・・・判定部、１１６・・・予告画像生成部、１１８・・・停止順決定部、１２０・・・変動図柄生成部。
【図１】
2005152349.tif 000004
【図２】
2005152349.tif 000005
【図３】
2005152349.tif 000006
【図４】
2005152349.tif 000007
【図５】
2005152349.tif 000008
【図６】
2005152349.tif 000009
【図７】
2005152349.tif 000010
【図８】
2005152349.tif 000011
【図９】
2005152349.tif 000012
【図１０】
2005152349.tif 000013
【図１１】
2005152349.tif 000014